(57)【要約】【課題】比較的簡単な構造にて、固体撮像素子に加わる外力負荷を低減させる撮像装置を提供する。【解決手段】複数のプリズム部材で構成され、撮像レンズを通して入射された光を複数の色成分に分解する色分解プリズムと、複数のプリズム部材に個別に固定された複数の信号端子を有する複数の固体撮像素子と、複数の固体撮像素子のそれぞれと接続される複数の撮像素子基板と、複数の撮像素子基板のそれぞれと接続されるフレキシブル基板とを備えられる。撮像素子基板は、固体撮像素子の各信号素子と個別に接続され、撮像素子基板から分離された信号端子接続部と、複数の信号端子接続部のそれぞれと撮像素子基板とを接続する伝送径路を有するとともに、複数の信号端子接続部のそれぞれの一部と撮像素子基板とを連結する複数の連結部とを備えられる。【選択図】図５
2009224960.tif 000002
【特許請求の範囲】
【請求項１】
複数のプリズム部材で構成され、撮像レンズを通して入射された光を複数の色成分に分解する色分解プリズムと、
複数の上記プリズム部材に個別に固定された複数の信号端子を有する複数の固体撮像素子と、
複数の上記固体撮像素子のそれぞれと接続される複数の撮像素子基板と、
複数の上記撮像素子基板のそれぞれと接続されるフレキシブル基板とを備え、
上記撮像素子基板は、
上記固体撮像素子の各信号素子と個別に接続され、上記撮像素子基板から分離された信号端子接続部と、
複数の上記信号端子接続部のそれぞれと上記撮像素子基板とを接続する伝送径路を有するとともに、複数の上記信号端子接続部のそれぞれの一部と上記撮像素子基板とを連結する複数の連結部とを備える撮像装置。
【請求項２】
上記撮像素子基板は、開口部を有し、
上記開口部の内側に複数の上記信号端子接続部が配置され、
複数の上記信号端子接続部のそれぞれの一部が上記開口部の端部に上記連結部を介して連結されている、請求項１に記載の撮像装置。
【請求項３】
上記連結部の幅は、上記信号端子接続部の幅より小さく、線状で形成される、請求項１に記載の撮像装置。
【請求項４】
複数の上記連結部のそれぞれは、折れ線形状又は波線形状で形成される、請求項１に記載の撮像装置。
【請求項５】
複数の上記信号端子接続部のそれぞれは、別の連結部を、さらに備える、請求項１に記載の撮像装置。
【請求項６】
隣り合う上記信号端子接続部同士において、一方の上記信号端子接続部の中心に対して連結された上記連結部の位置は、他方の上記信号端子接続部の中心に対して連結された上記連結部の位置に対して反対側にある、請求項１に記載の撮像装置。
【請求項７】
複数のプリズム部材で構成され、撮像レンズを通して入射された光を複数の色成分に分解する色分解プリズムと、
複数の上記プリズム部材に個別に固定された複数の信号端子を有する複数の固体撮像素子と、
複数の上記固体撮像素子のそれぞれと接続される複数の撮像素子基板と、
複数の上記撮像素子基板のそれぞれと接続されるフレキシブル基板とを備え、
上記撮像素子基板は、
上記固体撮像素子の各信号素子と個別に接続される複数の信号端子接続部のそれぞれが結合され、上記撮像素子基板から分離された信号端子接続部結合体と、
上記信号端子接続部結合体と上記撮像素子基板とを接続する伝送径路を有するとともに、上記信号端子接続部結合体の一部と上記撮像素子基板とを連結する連結部とを備える撮像装置。
【発明の詳細な説明】
【技術分野】
【０００１】
本発明は、固体撮像素子を備えるテレビジョンカメラ、ビデオカメラなどの撮像装置に関する。
【背景技術】
【０００２】
近年、固体撮像素子を３個用いる撮像装置として３板式カラーカメラ（以下３板カメラという）が開発され広く用いられるようになってきている。また、このような固体撮像素子を用いたデジタルカメラ及びデジタルビデオカメラの高画質化が進んでいる。特にデジタルビデオカメラにおいて、テレビのハイビジョン化により、従来のスタンダード画質からハイビジョン画質へと進んでいる。その結果、画素数の拡大及び色分解能力の向上が図られ、光の３原色ごとに固体撮像素子を割り当てる３ＣＣＤ（Ｃｈａｒｇｅ  Ｃｏｕｐｌｅｄ  Ｄｅｖｉｃｅ）方式及び３ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）方式が主流となりつつある。このような従来の３板カメラの構造について、図面を用いて説明する。
【０００３】
図１は、従来の３板カメラにおける撮像ブロック１０の模式断面図である。図１に示すように、撮像ブロック１０は、３板カメラにおける図示しない撮像レンズを通過して入射された光を所定の色成分に分解する色分解プリズム１と、複数の固体撮像素子２ｒ、２ｇ、２ｂと、各々の固体撮像素子が搭載された撮像素子基板３ｒ、３ｇ、３ｂとにより構成されている。
【０００４】
このような構成を有する従来の３板カメラでは、３色の被写体像の重ね合わせを精度良く行う必要がある。重ね合わせの精度、すなわちレジストレーションの精度が悪いと色ずれやモアレ偽信号が発生し、画質は微妙に劣化する。従って、レジストレーションの精度低下が生じないように、それぞれの固体撮像素子２ｒ、２ｇ、２ｂへ加わる外力負荷を低減させる必要がある。
【０００５】
また、このような従来の３板カメラにおける撮像ブロック１０には、フレキシブル基板（図示せず）が用いられている。また、フレキシブル基板は、各固体撮像素子２ｒ、２ｇ、２ｂと接続されている。これにより、フレキシブル基板を介して各固体撮像素子２ｒ、２ｇ、２ｂに、フレキシブル基板の曲げによる応力や外力負荷が加えられる。
【０００６】
そのため、従来の撮像装置においては、フレキシブル基板の曲げによる応力の発生を低減させるフレキシブル基板が提案されている（例えば、特許文献１参照）。
【０００７】
特許文献１においては、固定撮像素子と電子回路基板とを接続するフレキシブル基板の長手方向（配線方向）に長尺のスリット（開口）を設けた構造のフレキシブル基板が提案されている。さらに、特許文献１で提案されているフレキシブル基板においては、信号を伝送する伝送径路（配線パターン）が形成されている面の反対面に網目状のグランドパターンを形成している。このようなフレキシブル基板の構造においては、より一層の柔軟性を得ることができるため、フレキシブル基板の曲げによる応力の発生を小さくすることができる。
【特許文献１】特開平９−２９８６２６号公報
【発明の開示】
【発明が解決しようとする課題】
【０００８】
近年、このような３板カメラにおけるそれぞれの固体撮像素子の位置決めは、μｍオーダの精度が要求されつつあり、例えばそれぞれの固体撮像素子２ｒ、２ｇ、２ｂの位置決めは光軸方向では焦点深度があるため数十μｍ、被写体映像面内方向ではμｍオーダの精度を必要とするようになりつつある。
【０００９】
ここで、図２及び図３を用いて、特許文献１の撮像ブロックにおける固体撮像素子とフレキシブル基板との接続構造について説明する。図２は、フレキシブル基板１１、固体撮像素子２ｒ及び撮像素子基板３ｒの接続構造を説明するための模式斜視分解図である。また、図３は、フレキシブル基板１１が固体撮像素子２ｒ及び撮像素子基板３ｒと電気的に接続された状態を示す模式斜視図である。なお、フレキシブル基板１１と、各固体撮像素子２ｇ、２ｂと、各撮像素子基板３ｇ、３ｂとの接続構造は、フレキシブル基板１１と、固体撮像素子２ｒと、撮像素子基板３ｂとの接続構造と同様である。
【００１０】
図２及び図３に示すように、フレキシブル基板１１の端部における図示上面には、撮像素子基板３ｒが固定されるとともに電気的にも接続されており、さらにこの撮像素子基板３ｒは、固体撮像素子２ｒと電気的に接続されている。
【００１１】
具体的には、固体撮像素子２ｒに設けられた複数の信号端子１４のそれぞれは、フレキシブル基板１１の端部に設けられた信号端子用開口部１６を通って、撮像素子基板３ｒに設けられた複数の信号端子接続部１５のそれぞれと接続されている。また、信号端子１４は、信号端子接続部１５と、例えば半田付けにより接続されている。この結果、固体撮像素子２ｒで受光した光が、撮像素子基板３ｒによって撮像信号が生成され、撮像信号は、フレキシブル基板１１の伝送経路を通して伝送されて画像制御基板（図示せず）に入力される。
【００１２】
しかしながら、このような特許文献１の接続構造では、固体撮像素子２ｒに設けられた信号端子１４は、撮像素子基板３ｒと一体的に形成された信号端子接続部１５に接続され、フレキシブル基板１１は、撮像素子基板３ｒと固定された構造が採用されている。これにより、温度変化や応力負荷（フレキシブル基板１１の曲げによる応力）などによりフレキシブル基板に付加される外力負荷がそのまま固体撮像素子へ伝達され、作用する外力の大きさによっては、撮像素子の位置決め精度に影響を与える場合があり、この位置ずれによるレジストレーションの精度低下が問題となる。
【００１３】
従って、本発明の目的は、上記問題を解決することにあって、固体撮像素子を備える撮像装置において、比較的簡単な構造にて、固体撮像素子に加わる外力負荷を低減させる撮像装置を提供することにある。
【課題を解決するための手段】
【００１４】
上記目的を達成するために、本発明は以下のように構成する。
【００１５】
本発明の第１態様によれば、複数のプリズム部材で構成され、撮像レンズを通して入射された光を複数の色成分に分解する色分解プリズムと、複数の上記プリズム部材に個別に固定された複数の信号端子を有する複数の固体撮像素子と、複数の上記固体撮像素子のそれぞれと接続される複数の撮像素子基板と、複数の上記撮像素子基板のそれぞれと接続されるフレキシブル基板とを備え、上記撮像素子基板は、上記固体撮像素子の各信号素子と個別に接続され、上記撮像素子基板から分離された信号端子接続部と、複数の上記信号端子接続部のそれぞれと上記撮像素子基板とを接続する伝送径路を有するとともに、複数の上記信号端子接続部のそれぞれの一部と上記撮像素子基板とを連結する複数の連結部とを備える撮像装置を提供する。
【００１６】
本発明の第２態様によれば、上記撮像素子基板は、開口部を有し、上記開口部の内側に複数の上記信号端子接続部が配置され、複数の上記信号端子接続部のそれぞれの一部が上記開口部の端部に上記連結部を介して連結されている、第１態様に記載の撮像装置を提供する。
【００１７】
本発明の第３態様によれば、上記連結部の幅は、上記信号端子接続部の幅より小さく、線状で形成される、第１態様に記載の撮像装置を提供する。
【００１８】
本発明の第４態様によれば、複数の上記連結部のそれぞれは、折れ線形状又は波線形状で形成される、第１態様に記載の撮像装置を提供する。
【００１９】
本発明の第５態様によれば、複数の上記信号端子接続部のそれぞれは、別の連結部を、さらに備える、第１態様に記載の撮像装置を提供する。
【００２０】
本発明の第６態様によれば、隣り合う上記信号端子接続部同士において、一方の上記信号端子接続部の中心に対して連結された上記連結部の位置は、他方の上記信号端子接続部の中心に対して連結された上記連結部の位置に対して反対側にある、第１態様に記載の撮像装置を提供する。
【００２１】
本発明の第７態様によれば、複数のプリズム部材で構成され、撮像レンズを通して入射された光を複数の色成分に分解する色分解プリズムと、複数の上記プリズム部材に個別に固定された複数の信号端子を有する複数の固体撮像素子と、複数の上記固体撮像素子のそれぞれと接続される複数の撮像素子基板と、複数の上記撮像素子基板のそれぞれと接続されるフレキシブル基板とを備え、上記撮像素子基板は、上記固体撮像素子の各信号素子と個別に接続される複数の信号端子接続部のそれぞれが結合され、上記撮像素子基板から分離された信号端子接続部結合体と、上記信号端子接続部結合体と上記撮像素子基板とを接続する伝送径路を有するとともに、上記信号端子接続部結合体の一部と上記撮像素子基板とを連結する連結部とを備える撮像装置を提供する。
【発明の効果】
【００２２】
本発明によれば、撮像素子基板において、固体撮像素子の信号端子と接続される信号端子接続部が、撮像素子基板本体から分離されて設けられ、この分離された信号端子接続部の一部を撮像素子基板本体と連結する連結部が設けられている。これにより、フレキシブル基板から外力負荷が撮像素子基板に加えられても、この外力負荷を連結部にて吸収することができ、信号端子接続部に加えられる外力負荷を低減させることができる。その結果、固体撮像素子へ付加されるプリングバックなどの応力負荷を著しく低減させることができる。従って、比較的簡単な構造にて、固体撮像素子へ付加される応力負荷を低減することができ、レジストレーションの精度低下を抑制可能な撮像装置を提供することができる。
【発明を実施するための最良の形態】
【００２３】
以下に、本発明に係る実施の形態を、図面を参照しながら説明する。
【００２４】
本発明の実施形態に係る固体撮像素子とプリズムとが接合された固体撮像デバイスを備えた撮像装置の一例である３板カメラ構造を有するビデオカメラ２０の模式斜視図を図４に示す。
【００２５】
ここで、図４に示すビデオカメラ２０について説明する。本実施形態の撮像装置（ビデオカメラ２０）は、撮像部２１、操作部２２、表示部２３を備える。撮像部２１は、例えばＣＣＤやＣＭＯＳ等を利用した３板カメラで構成される。撮像部２１は、撮像レンズ前方方向を撮像する。操作部２２は、撮影開始ボタン及び停止ボタンなどを備え、撮像装置の動作を操作する。表示部２３は、例えば液晶ディスプレイや有機ＥＬディスプレイで構成され、撮像部２１で撮像された画像を表示する。
【００２６】
ここで、ビデオカメラ２０における３板カメラの構造を有する撮像ブロック３０及びフレキシブル基板４１の模式斜視図を図５に示し、図５に示す撮像ブロック３０の模式断面図を図６に示す。図５に示すように、本実施形態の撮像ブロック３０は、３つのプリズム部材１ｒ、１ｇ、１ｂが接着剤を介して接合され、それぞれの固体撮像素子２ｒ、２ｇ、２ｂが接着剤を介して接合された構造を有している。さらに、それぞれの固体撮像素子２ｒ、２ｇ、２ｂには、それぞれの撮像素子基板３ｒ、３ｇ、３ｂ及びフレキシブル基板４１が接続されている。なお、図５及び図６に示す撮像ブロック３０の構造自体は、図１に示す撮像ブロック１０と同じ構造であるため、同じ構成部材には同じ参照符号を付してその説明を省略する。
【００２７】
次に、図６を参照して、本実施形態に係る撮像装置に用いられる３板カメラにおける撮像ブロック３０の構造及びその原理ついて説明する。図６に示すように、３色分解プリズム１は、３つのプリズム部材１ｒ、１ｇ、１ｂが互いに密着して接合されることより構成され、入射光を３つの色成分に分解する３色分解プリズム１である。それぞれのプリズム部材１ｒ、１ｇ、１ｂの接合界面は、ダイクロイックミラー４、５となっている。また、３つのプリズム部材１ｒ、１ｇ、１ｂの光の出射面には、個別に固体撮像素子３２ｒ、３２ｇ、３２ｂが接着剤を介して固定されている。
【００２８】
図６において、３色分解プリズム１に入射した光束７は、ダイクロイックミラー４、５によって、３つの色成分、すなわち光の３原色の光束６ａ、６ｂ、６ｃに色分解され、各々の固体撮像素子２ｒ、２ｇ、２ｂに受光される。ダイクロイックミラー４、５にて３原色に分解反射された光束のうちの光束６ａ、６ｂは、それぞれのプリズム部材１ｇ、１ｂ内にて再度全反射されることで、裏返し像（鏡像）ではなく表像を形成する光束として固体撮像素子３２ｇ、３２ｂに受光される。それぞれの固体撮像素子３２ｇ、３２ｂ、３２ｒにて受光されたそれぞれの光束は、それぞれの撮像素子基板３３ｒ、３３ｇ、３３ｂにて撮像信号の処理がなされて、撮像信号が合成されたカラーテレビジョン信号が得られる。
【００２９】
図５に戻って、本実施形態の撮像装置において、撮像ブロック３０の各固体撮像素子３２ｇ、３２ｂ、３２ｒの信号素子に接続された各撮像素子基板３３ｒ、３３ｇ、３３ｂには、フレキシブル基板４１が接続されている。このようなフレキシブル基板４１としては、例えばＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）などが用いられ、各撮像端子基板３３ｒ、３３ｇ、３３ｂとコネクタ４２が接続される画像制御基板（図示せず）との間の電気信号の伝送を行う機能と、柔軟性を有している。
【００３０】
次に、図７及び図８を用いて、フレキシブル基板４１と、各固体撮像素子３２ｇ、３２ｂ、３２ｒと、撮像素子基板３３ｇ、３３ｂ、３３ｒとの接続構造について説明する。図７は、本実施形態のフレキシブル基板４１と、固体撮像素子３２ｒと、撮像素子基板３３ｒの接続構造を説明するための模式分解図である。また、図８は、本実施形態の固体撮像素子３２ｒにフレキシブル基板４１及び撮像素子基板３３ｒが固定された状態を示す模式斜視図である。なお、フレキシブル基板４１と、各固体撮像素子３２ｇ、３２ｂと、各撮像素子基板３３ｇ、３３ｂとの接続構造の説明については、フレキシブル基板４１と、固体撮像素子３２ｒと、撮像素子基板３３ｒとの接続構造と同様であるので、その説明を省略する。
【００３１】
図７に示すように、フレキシブル基板４１は、回路部４１ａ及びケーブル部４１ｂを備えている。回路部４１ａは、信号端子接続部４５、連結部４７及び開口部４８を有している。開口部４８は、例えば矩形に形成されており、その内部に、複数の信号端子接続部４５及び複数の連結部４７が配置されている。
【００３２】
信号端子接続部４５は、例えば円環状に形成され、回路部４１ａから分離されて形成されている。また、複数の信号端子接続部４５のそれぞれは、例えば半田付けにより、固体撮像素子３２ｒに設けられた複数の信号端子４４のそれぞれと接続されている。
【００３３】
連結部４７は、例えば直線状に形成され、伝送径路を有している。連結部４７は、信号端子接続部４５の幅より小さく形成されている。また、連結部４７は、その一方端が信号端子接続部４５の一部と結合し、その他方端が信号端子接続部４５のそれぞれを開口部４８の内壁に連結させる。これにより、固体撮像素子３２ｒに付加される外力負荷を吸収することができる。
【００３４】
連結部４７は、例えば帯状形状にて直線状に形成され、その一方端が信号端子接続部４５の一部に固定され、その他方端が開口部４８の内縁部に固定されている。すなわち、開口部４８から分離して形成された信号端子接続部４５の一部と、開口部４８の内縁部とが連結部４７により連結されている。これにより、回路部４１ａに加えられた外力が、開口部４８の内縁部から連結部４７を介して信号端子接続部４５に伝達される際に、帯状形状を有する連結部４７が弾性変形することで、外力の少なくとも一部を吸収することができる。このような連結部４７における外力吸収の効果を向上させるためには、連結部４７がより容易に弾性変形することが好ましく、例えば、連結部４７の幅が信号端子接続部４５の幅よりも小さく形成されていることが好ましい。また、連結部４７には、信号端子接続部４５と回路部４１ａとを電気的に接続する伝送経路（例えば導体配線等、図示せず）が形成されている。
【００３５】
撮像素子基板３３ｒは、フレキシブル基板４１の回路部４１ａと固定され、かつ、電気的にも接続されている。また、撮像素子基板３３ｒには、フレキシブル基板４１の開口部４８に相当する位置に信号端子用開口部４６が形成されている。これにより、信号端子４４の先端の干渉が防止される。さらに、撮像素子基板３３ｒが、フレキシブル基板４１の回路部４１ａよりも硬い材料で形成されている場合には、撮像素子基板３３ｒの信号端子用開口部４６の周部が、フレキシブル基板４１の開口部４８の周部を補強することができる。したがって、信号端子接続部４５及び連結部４７がフレキシブル基板４１外部の部材と干渉して損傷することが防止される。なお、撮像素子基板３３ｒが、固体撮像素子３２ｒに配置された信号端子４４と干渉しない形状を有していれば、撮像素子基板３３ｒに信号端子用開口部４６が形成されない場合であってもよい。
【００３６】
図８に示すように、このように配置して接続されたフレキシブル基板４１、固体撮像素子３２ｒ及び撮像素子基板３３ｒにおいて、固体撮像素子３２ｒで受光した光が、信号端子４４から信号端子接続部４５を介して連結部４７を通り、撮像素子基板３３ｒに伝送される。次に、固体撮像素子３２ｒから伝送された光は、撮像素子基板３３ｒによって撮像信号が生成され、撮像信号は、フレキシブル基板４１の回路部４１ａに戻され、フレキシブル基板４１のケーブル部４１ｂの伝送経路を通して伝送されて画像制御基板（図示せず）に入力される。
【００３７】
また、本実施形態では、フレキシブル基板４１の回路部４１ａと撮像素子基板３３ｒとから構成される部分が本発明の撮像素子基板に相当する。また、撮像素子基板３３ｒは、撮像素子基板３３ｒの機能を含むフレキシブル基板４１の回路部４１ａであってもかまわない。また、撮像素子基板は、フレキシブル基板４１の回路部４１ａの機能を含んで形成されていてもよい。
【００３８】
このように、本実施形態の固体撮像素子３２ｒに設けられたフレキシブル基板４１の回路部４１ａにおいて、固体撮像素子３２ｒの信号端子４４と接続される信号端子接続部４５は、回路部４１ａから分離されて設けられ、かつ、この分離された信号端子接続部４５の一部を回路部４１ａと連結する連結部４７を介して回路部４１ａと連結されているので、連結部４７が弾性変形することで、固体撮像素子３２ｒに接続されるフレキシブル基板４１から加えられる外力負荷を吸収することができる。その結果、固体撮像素子に付加される外力負荷を低減させることができる。
【００３９】
ここで、本実施形態の変形例であるフレキシブル基板５１と、固体撮像素子３２ｒと、撮像素子基板３３ｒの接続構造を説明するための模式分解図を図９に示す。図８に示すように、フレキシブル基板５１の回路部５１ａに形成された連結部５７の形状が図７又は図８に示される連結部４７の形状と異なるだけで、図９に示す固体撮像素子３２ｒ、フレキシブル基板５１のケーブル部４１ｂ及び撮像素子基板３３ｒなどが配置された構造自体は、図７と同じ構造であるため、同じ構成部材には同じ参照符号を付してその説明を省略する。
【００４０】
図９に示すように、本実施形態の変形例において、連結部５７は、折れ線形状で形成され、連結部４７と同様に、その一方端が信号端子接続部４５の一部に連結され、その他方端が開口部４８の内縁部に連結されている。このような形状が採用された連結部５７は、弾性変形しやすい構造となっているため、直線状で形成された連結部４７に比べて、連結部５７は、フレキシブル基板５１を介して付加される外力負荷をＹ軸方向にさらに吸収することができる。その結果、フレキシブル基板５１は、固体撮像素子３２ｒに付加される外力負荷をさらに低減させることができる。また、連結部５７は、例えばＳ字形状のように湾曲させた波線形状であってもよい。
【００４１】
また、本実施形態の別の変形例である信号端子接続部４５と、連結部４７ａ及び４７ｂとの接続構造を説明するためのフレキシブル基板４１の回路部４１ａの模式拡大図を図１０に示す。図１０に示すように、１つの信号端子接続部４５に対して、２つの連結部４７ａ及び４７ｂが連結されている。この場合、各連結部４７ａ及び４７ｂの一方端が信号端子接続部４５の一部に接続され、その他方端が、フレキシブル基板４１の回路部４１ａに形成された開口部４８の内縁部に接続されている。これにより、連結部４７ａ及び４７ｂが、フレキシブル基板４１から付加される外力負荷を吸収するとともに、信号端子接続部４５及び連結部４７ａ及び４７ｂがフレキシブル基板４１外部の部材と干渉して損傷することが防止される。また、１つの連結部が各信号端子接続部４５の２カ所で接続される構造であってもよい。
【００４２】
また、本実施形態のさらに別の変形例である信号端子接続部４５と、連結部４７ｃ及び４７ｄとの接続構造を説明するためのフレキシブル基板４１の回路部４１ａの模式拡大図を図１１に示す。図１１に示すように、隣接する信号端子接続部４５同士において、一方の信号端子接続部４５の中心に対して接続される連結部４７ｃの位置が、他方の信号端子接続部４５の中心に対して接続される連結部４７ｄの位置の反対側に形成されている。これにより、隣接する信号端子接続部４５は、互いにより一層近づく位置で配置させることができる。
【００４３】
また、本実施形態のさらに別の変形例である複数の信号端子接続部４５が連結された信号端子接続部結合体４９と、連結部４７との接続構造を説明するためのフレキシブル基板４１の回路部４１ａの模式拡大図を図１２に示す。図１２に示すように、複数の信号端子接続部４５のそれぞれが一体的に連結されて、信号端子接続部結合体４９が形成されている。連結部４７は、その一方端が信号端子接続部結合体４９の一部に接続され、その他方端が開口部４８の内縁部に接続されている。この場合、連結部４７は、信号端子接続部結合体４９を形成している信号端子接続部４５の数に対応していてもよい。これにより、開口部４８に配置される信号端子接続部４５及び連結部４７の構成を簡単にすることができる。また、連結部４７が複数設けられる場合には、信号端子接続部結合体４９及び連結部４７がフレキシブル基板４１外部の部材と干渉して損傷することが防止される。
【００４４】
以上のように、比較的簡単な構造にて、固体撮像素子へ付加される外力負荷を低減することができ、レジストレーションの精度低下を抑制可能な撮像装置を提供することができる。
【００４５】
なお、上記様々な実施形態のうちの任意の実施形態を適宜組み合わせることにより、それぞれの有する効果を奏するようにすることができる。
【００４６】
本発明は、添付図面を参照しながら好ましい実施形態に関連して充分に記載されているが、この技術の熟練した人々にとっては種々の変形や修正は明白である。そのような変形や修正は、特許請求の範囲による本発明の範囲から外れない限りにおいて、その中に含まれると理解されるべきである。
【産業上の利用可能性】
【００４７】
本発明に係る撮像装置は、比較的簡単な構造にて、固体撮像素子へ付加される外力負荷を低減する効果を有し、固体撮像素子を備えるテレビジョンカメラ、ビデオカメラなどの撮像装置等に有用である。
【図面の簡単な説明】
【００４８】
【図１】従来の３板式カラーカメラにおける撮像ブロックの模式構成図
【図２】従来のフレキシブル基板、固体撮像素子及び撮像素子基板の接続構造を説明するための模式分解図
【図３】従来のフレキシブル基板が固体撮像素子及び撮像素子基板が電気的に接続されている状態を示す模式斜視図
【図４】本実施形態の撮像装置を示す概略模式斜視図
【図５】本実施形態における３板カメラの構造を有する撮像ブロック及びフレキシブル基板の模式斜視図
【図６】本実施形態の図５に示す撮像ブロックの模式断面図
【図７】本実施形態の固体撮像素子、フレキシブル基板及び撮像素子基板の接続構造を説明するための模式斜視図
【図８】本実施形態の固体撮像素子にフレキシブル基板及び撮像素子基板が固定された状態を示す模式斜視図
【図９】本実施形態の変形例である固体撮像素子にフレキシブル基板及び撮像素子基板が固定された状態を示す模式斜視図
【図１０】本実施形態の別の変形例である信号端子接続部と、連結部との接続構造を説明するためのフレキシブル基板の回路部の模式拡大図
【図１１】本実施形態のさらに別の変形例である信号端子接続部と、連結部との接続構造を説明するためのフレキシブル基板の回路部の模式拡大図
【図１２】本実施形態のさらに別の変形例である複数の信号端子接続部が連結された信号端子接続部結合体と、連結部との接続構造を説明するためのフレキシブル基板の回路部の模式拡大図
【符号の説明】
【００４９】
１  ３色分解プリズム
１ｒ  プリズム部材（赤色）
１ｇ  プリズム部材（緑色）
１ｂ  プリズム部材（青色）
２ｒ、３２ｒ  固体撮像素子（赤色用）
２ｇ、３２ｇ  固体撮像素子（緑色用）
２ｂ、３２ｂ  固体撮像素子（青色用）
３ｒ、３３ｒ  撮像素子基板（赤色用）
３ｇ、３３ｇ  撮像素子基板（緑色用）
３ｂ、３３ｂ  撮像素子基板（青色用）
４、５  ダイクロイックミラー
６ａ  原色の光束（赤色用）
６ｂ  原色の光束（緑色用）
６ｃ  原色の光束（青色用）
７  光束
１０、３０  撮像ブロック
１１、４１、５１  フレキシブル基板
１４、４４  信号端子
１５、４５  信号端子接続部
１６、４６  信号端子用開口部
２０  ビデオカメラ（撮像装置）
２１  撮像部
２２  操作部
２３  表示部
４１ａ、５１ａ  回路部
４１ｂ  ケーブル部
４７、５７  連結部
４８  開口部
４９  信号端子接続部結合体
【図１】
2009224960.tif 000003
【図２】
2009224960.tif 000004
【図３】
2009224960.tif 000005
【図４】
2009224960.tif 000006
【図５】
2009224960.tif 000007
【図６】
2009224960.tif 000008
【図７】
2009224960.tif 000009
【図８】
2009224960.tif 000010
【図９】
2009224960.tif 000011
【図１０】
2009224960.tif 000012
【図１１】
2009224960.tif 000013
【図１２】
2009224960.tif 000014